(57)【要約】ロード・アンロード機構のランプ部材（３３）は浮上スライダ（３１）に支持される。磁気ディスク（１３）の回転時、浮上スライダ（３１）の空気軸受け面（２９）には浮力が生成される。浮上ヘッドスライダと同様に浮上スライダ（３１）の浮上高さは高い精度で調整されることができる。傾斜面（３４）は高い精度で磁気ディスク（１３）から規定の高さに保持される。傾斜面（３４）の広がりが縮小されてもロードバーは確実に傾斜面（３４）に受け止められる。ランプ部材（３３）はできる限り磁気ディスク（１３）の表面から離脱することができる。磁気ディスク（１３）の表面ではデータゾーンの拡大は実現されることができる。
2003102951.tif 000002
【特許請求の範囲】
【請求項１】
記録媒体と、空気軸受け面で記録媒体の表面に向き合わせられるヘッドスライダと、ヘッドスライダに固定されるロードバーと、ロードバーの移動経路に沿って記録媒体の表面から徐々に遠ざかる傾斜面を形成し、この傾斜面でロードバーを受け止めるランプ部材と、空気軸受け面で記録媒体に向き合わせられて、ランプ部材を支持する浮上スライダとを備えることを特徴とする記録媒体駆動装置。
【請求項２】
請求の範囲第１項に記載の記録媒体駆動装置において、前記浮上スライダを支持する第１支持部材と、少なくとも前記記録媒体およびヘッドスライダを収容する筐体に固定される第２支持部材と、第１および第２支持部材の間に挟まれて、第１および第２支持部材の間で相対変位を生み出す駆動部材とを備えることを特徴とする記録媒体駆動装置。
【請求項３】
請求の範囲第２項に記載の記録媒体駆動装置において、前記第１支持部材は弾性サスペンションであることを特徴とする記録媒体駆動装置。
【請求項４】
請求の範囲第３項に記載の記録媒体駆動装置おいて、少なくとも前記弾性サスペンションおよび浮上スライダのいずれか一方に接触し、記録媒体の表面から離れた位置で浮上スライダを保持するリフト機構をさらに備えることを特徴とする記録媒体駆動装置。
【請求項５】
空気軸受け面で記録媒体の表面に向き合わせられる浮上スライダと、浮上スライダに固定されて、記録媒体の表面から徐々に遠ざかる傾斜面を形成するランプ部材とを備えることを特徴とする記録媒体駆動装置のランプ部材アセンブリ。
【発明の詳細な説明】
技術分野
本発明は、ヘッドスライダに関連していわゆるロード・アンロード機構を備える記録媒体駆動装置に関し、特に、空気軸受け面で記録媒体の表面に向き合わせられるヘッドスライダと、ヘッドスライダに固定されるロードバーと、ロードバーの移動経路に沿って記録媒体の表面から徐々に遠ざかる傾斜面でロードバーを受け止めるランプ部材とを備える記録媒体駆動装置に関する。
背景技術
ロード・アンロード機構を備えるハードディスク駆動装置（ＨＤＤ）は広く知られる。一般に、ロード・アンロード機構のランプ部材は、磁気ディスクの表面上方に配置される滑り台を備える。滑り台には、磁気ディスクの回転中心から離れるに従って磁気ディスクの表面から遠ざかる傾斜面が形成される。ロードバーが磁気ディスクの外周に向かって移動すると、ロードバーは傾斜面に受け止められる。さらにロードバーの移動が継続される結果、ロードバーは傾斜面を登っていく。こうしてヘッドスライダは磁気ディスクの表面から遠ざけられる。
傾斜面にはロードバーの移動経路に沿って比較的に大きな広がりが確保される。こういった傾斜面によれば、磁気ディスクの表面に直交する方向（垂直方向）に傾斜面の広がりは十分に確保される。したがって、ランプ部材の取り付けにあたって垂直方向に滑り台の位置がずれても、こうした位置ずれにも拘わらず確実にロードバーは傾斜面に接触することができる。こうした広がりが傾斜面に確保されなければ、滑り台の位置ずれに応じてロードバーは傾斜面をすり抜けてしまう。
しかしながら、前述のように傾斜面の広がりが確保されると、傾斜面は、前述の垂直方向に広がるだけでなく磁気ディスクの半径方向にも大きく広がってしまう。滑り台は磁気ディスクの中心に向かって大きく突き出てしまう。滑り台の突出に伴い磁気ディスクの外縁と最外周の記録トラックとの間で非データゾーンは拡大する。
発明の開示
本発明は、上記実状に鑑みてなされたもので、記録媒体上に区画されるデータゾーンの拡大に大いに役立つランプ部材を提供することを目的とする。
上記目的を達成するために、本発明によれば、空気軸受け面で記録媒体の表面に向き合わせられる浮上スライダと、浮上スライダに固定されて、記録媒体の表面から徐々に遠ざかる傾斜面を形成するランプ部材とを備えることを特徴とする記録媒体駆動装置のランプ部材アセンブリが提供される。
こういったランプ部材アセンブリによれば、例えば、記録媒体と、空気軸受け面で記録媒体の表面に向き合わせられるヘッドスライダと、ヘッドスライダに固定されるロードバーと、ロードバーの移動経路に沿って記録媒体の表面から徐々に遠ざかる傾斜面を形成し、この傾斜面でロードバーを受け止めるランプ部材と、空気軸受け面で記録媒体に向き合わせられて、ランプ部材を支持する浮上スライダとを備えることを特徴とする記録媒体駆動装置は提供されることができる。
この記録媒体駆動装置では、記録媒体と浮上スライダとの相対移動に基づき浮上スライダには気流が作用する。浮上スライダの空気軸受け面には浮力が与えられる。浮上スライダは記録媒体の表面から浮上する。このとき、情報の読み出しや書き込みに利用される浮上ヘッドスライダと同様に、浮上スライダの浮上高さは高い精度で調整されることができる。その結果、浮上スライダで支持されるランプ部材上の傾斜面は高い精度で記録媒体の表面から規定の高さに保持されることができる。傾斜面の広がりが縮小されてもロードバーは確実に傾斜面に受け止められる。ランプ部材はできる限り記録媒体の表面から離脱することができる。こうしてランプ部材が後退する結果、記録媒体の表面ではデータゾーンの拡大は実現されることができる。
こうした記録媒体駆動装置では、浮上スライダを支持する第１支持部材と、少なくとも記録媒体およびヘッドスライダを収容する筐体に固定される第２支持部材と、第１および第２支持部材の間に挟まれて、第１および第２支持部材の間で相対変位を生み出す駆動部材とがさらに組み込まれてもよい。こういった駆動部材によれば、浮上スライダには記録媒体の表面に沿って微小変位が与えられることができる。こうした微小変位に基づき浮上スライダは記録媒体との吸着から容易に離脱することができる。一般に、記録媒体の表面には保護用の潤滑剤が塗布される。こういった潤滑剤は記録媒体と浮上スライダとの間に吸着力（メニスカス作用）を引き起こすことがある。第１支持部材は、例えば先端で浮上スライダを支持する弾性サスペンションに代表される。
記録媒体駆動装置には、少なくとも前記弾性サスペンションおよび浮上スライダのいずれか一方に接触し、記録媒体の表面から離れた位置で浮上スライダを保持するリフト機構がさらに組み込まれてもよい。こういったリフト機構によれば、浮上スライダに気流に基づき浮力が浮力が作用しない場合でも、浮上スライダは記録媒体の表面から引き離されることができる。したがって、浮上スライダと記録媒体との吸着は確実に回避されることができる。
なお、前述のランプ部材アセンブリは、例えばハードディスク駆動装置（ＨＤＤ）といった磁気記録媒体駆動装置に組み込まれて使用されることができる。ただし、本発明に係るランプ部材アセンブリは、情報の書き込みや読み出しにあたって浮上ヘッドスライダが利用されるあらゆる記録媒体駆動装置に組み込まれて使用されることができる。
発明を実施するための最良の形態
以下、添付図面を参照しつつ本発明の実施形態を説明する。
図１は、本発明の第１実施形態に係る磁気記録媒体駆動装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。収容空間には、記録媒体としての１枚以上の磁気ディスク１３が収容される。磁気ディスク１３はスピンドルモータ１４の回転軸に装着される。スピンドルモータ１４は例えば７２００ｒｐｍや１００００ｒｐｍといった高速度で磁気ディスク１３を回転させることができる。筐体本体１２には、筐体本体１２との間で収容空間を密閉する蓋体すなわちカバー（図示されず）が結合される。
磁気ディスク１３の表面には、最内周記録トラック１５と最外周記録トラック１６との間にデータゾーン１７が区画される。データゾーン１７には同心円状に記録トラックが描かれる。最内周記録トラック１５の内側や最外周記録トラック１６の外側に区画される非データゾーンには情報すなわちデータは記録されない。
収容空間にはヘッドアクチュエータ１８がさらに収容される。このヘッドアクチュエータ１８は、垂直方向に延びる支軸１９に回転自在に連結される。ヘッドアクチュエータ１８は、支軸１９から水平方向に延びる複数のアクチュエータアーム２１と、各アクチュエータアーム２１の先端に取り付けられてアクチュエータアーム２１から前方に延びる弾性サスペンション２２とを備える。アクチュエータアーム２１には所定の剛性が与えられる。こういったアクチュエータアーム２１は、例えばステンレス板から打ち抜き加工に基づき成型されてもよく、アルミニウム材料から押し出し加工や鋳造に基づき成型されてもよい。アクチュエータアーム２１は磁気ディスク１３の表面および裏面ごとに設置される。
アクチュエータアーム２１が支軸１９回りで揺動すると、弾性サスペンション２２の先端は最内周記録トラック１５と最外周記録トラック１６との間でデータゾーン１７を横切ることができる。アクチュエータアーム２１が待機位置に位置決めされると、弾性サスペンション２２の先端は最外周記録トラック１６を越えて磁気ディスク１３から外れた位置に到達する。こういったヘッドアクチュエータ１８の揺動は例えばボイスコイルモータ（ＶＣＭ）といった動力源２３の働きで実現されればよい。
弾性サスペンション２２の先端では、いわゆるジンバルばね（図示されず）の働きで浮上ヘッドスライダ２４が片持ち支持される。浮上ヘッドスライダ２４には、磁気ディスク１３の表面に向かって弾性サスペンション２２から押し付け力が作用する。磁気ディスク１３の回転に基づき磁気ディスク１３の表面で生成される気流の働きで浮上ヘッドスライダ２４には浮力が作用する。弾性サスペンション２２の押し付け力と浮力とのバランスで磁気ディスク１３の回転中に比較的に高い剛性で浮上ヘッドスライダ２４は浮上し続けることができる。こうした浮上ヘッドスライダ２４の浮上中に、前述のようにアクチュエータアーム２１が揺動すると、浮上ヘッドスライダ２４は磁気ディスク１３上の所望の記録トラックに位置決めされることができる。
浮上ヘッドスライダ２４にはいわゆる磁気ヘッドすなわち電磁変換素子（図示されず）が搭載される。この電磁変換素子は、例えば、薄膜コイルパターンで生成される磁界を利用して磁気ディスク１３に情報を書き込む薄膜磁気ヘッドといった書き込み素子（図示されず）と、スピンバルブ膜やトンネル接合膜の低抗変化を利用して磁気ディスク１３から情報を読み出す巨大磁気抵抗効果素子（ＧＭＲ）やトンネル接合磁気抵抗効果素子（ＴＭＲ）といった読み出し素子（図示されず）とで構成されればよい。
弾性サスペンション２２の先端には、弾性サスペンション２２の先端からさらに前方に延びるロードバー２５が固定される。ロードバー２５は、アクチュエータアーム２１の揺動に基づき磁気ディスク１３の半径方向に移動することができる。ロードバー２５の移動経路上には磁気ディスク１３の外側でランプ部材アセンブリ２６が配置される。アクチュエータアーム２１が待機位置に位置決めされると、ランプ部材アセンブリ２６はロードバー２５を受け止めることができる。ロードバー２５およびランプ部材アセンブリ２６は、後述されるように、協働していわゆるロード・アンロード機構を構成する。
ランプ部材アセンブリ２６は、磁気ディスク１３の外側で筐体本体１２の底板に固定される取り付け台２７を備える。取り付け台２７には、スピンドルモータ１４の回転軸に向かって水平方向に延びる弾性サスペンション２８が固定される。図２から明らかなように、弾性サスペンション２８の先端には、空気軸受け面２９で磁気ディスク１３の表面に向き合わせられる浮上スライダ３１が固定される。空気軸受け面２９は、最外周記録トラック１６の外側で磁気ディスク１３の表裏の非データゾーンに向き合わせられればよい。浮上スライダ３１には、磁気ディスク１３の表面に向かって弾性サスペンション２８から押し付け力が作用する。磁気ディスク１３の回転に基づき磁気ディスク１３の表面で気流が生成されると、この気流の働きで浮上スライダ３１の空気軸受け面２９には浮力が作用する。弾性サスペンション２８の押し付け力と浮力とのバランスで磁気ディスク１３の回転中に浮上スライダ３１は浮上し続けることができる。
浮上スライダ３１の空気軸受け面２９にはいわゆる吸着防止突起（パッド）３２が形成される。吸着防止突起３２は空気軸受け面２９から立ち上がる。こういった吸着防止突起３２は、例えば長方形の空気軸受け面２９の４角に配置されればよい。周知の通りに、磁気ディスク１３の表面には潤滑剤が広がる。潤滑剤は、浮上スライダ３１が磁気ディスク１３の表面に接触する際に浮上スライダ３１に吸着力（メニスカス作用）を及ぼす。こうした吸着力は磁気ディスク１３の回転さえも妨げる。吸着防止突起３２は吸着力の伝達を阻止する。
浮上スライダ３１上にはランプ部材３３が固定される。このランプ部材３３には、磁気ディスク１３の中心から離れるに従って磁気ディスク１３の表面から徐々に遠ざかる傾斜面３４が形成される。こういった傾斜面３４はロードバー２５の移動経路に沿って広がる。
いま、磁気ディスク１３の回転が停止する場面を想定する。情報の書き込みや読み出しが完了すると、動力源２３は待機位置に向けて順方向にアクチュエータアーム２１を駆動する。浮上ヘッドスライダ２４が最外周記録トラック１６を越えて非データゾーンすなわちランディングゾーンに向き合うと、例えば図３に示されるように、ロードバー２５はランプ部材３３の傾斜面３４に接触する。さらにアクチュエータアーム２１が揺動すると、ロードバー２５は傾斜面３４を登っていく。ロードバー２５が傾斜面３４を登るにつれて、浮上ヘッドスライダ２４は磁気ディスク１３の表面から徐々に遠ざかっていく。こうしてロードバー２５はランプ部材３３に受け止められる。浮上ヘッドスライダ２４は磁気ディスク１３の表面から離脱することから、浮上ヘッドスライダ２４の空気軸受け面では浮力は消失する。その一方で、ロードバー２５はランプ部材３３上に保持されることから、無風状態にも拘わらず、磁気ディスク１３に対する浮上ヘッドスライダ２４の衝突や接触は回避されることができる。
このとき、浮上スライダ３１の空気軸受け面２９には、浮上ヘッドスライダ２４の空気軸受け面と同様な手法で浮力は設定されることができる。浮上スライダ３１の浮上高さは高い精度で調整されることができる。その結果、浮上スライダ３１で支持されるランプ部材３３上の傾斜面３４は高い精度で磁気ディスク１３の表面から規定の高さに保持されることができる。例えば磁気ディスク１３の表面に直交する方向（垂直方向）に傾斜面３４の広がりが縮小されても、ロードバー２５は確実に傾斜面３４に受け止められる。同時に、磁気ディスク１３の半径方向に傾斜面３４の広がりは十分に縮小されることができる。ランプ部材３３はできる限り磁気ディスク１３の表面から後退することができる。こうしたランプ部材３３の後退に基づき磁気ディスク１３上の最外周記録トラック１６は磁気ディスク１３の外縁にできる限り寄せられることができる。データゾーン１７の拡大は実現される。
アクチュエータアーム２１が完全に待機位置に位置決めされると、磁気ディスク１３の回転は停止する。浮上スライダ３１の空気軸受け面２９から浮力は消失する。その結果、図４に示されるように、弾性サスペンション２８の弾性力の働きで浮上スライダ３１は磁気ディスク１３の表面に押し付けられる。浮上スライダ３１は吸着防止突起３２で磁気ディスク１３の表面に接触する。一般に、浮上ヘッドスライダ２４には、情報の書き込みや読み出しに利用されることから、浮上高さの低減が求められる。その一方で、浮上スライダ３１には浮上ヘッドスライダ２４ほどに浮上高さの低減は求められる必要はない。したがって、浮上スライダ３１の吸着防止突起３２には十分な高さ（突出量）が確保されることができる。浮上スライダ３１の吸着は確実に防止されることができる。
このとき、浮上スライダ３１には、ランプ部材アセンブリ２６に組み込まれる弾性サスペンション２８から押し付け力が作用すると同時に、ヘッドアクチュエータ１８に組み込まれる弾性サスペンション２２から押し付け力が作用する。浮上ヘッドスライダ３１は情報の読み出しや書き込みに利用されないことから、弾性サスペンション２８には十分に大きな押し付け力は確保されることができる。したがって、例えばＨＤＤ１１に衝撃が加わっても、浮上スライダ３１は磁気ディスク１３の表面に接触し続けることができる。浮上スライダ３１の衝突は十分に回避されることができる。
ＨＤＤ１１が情報の書き込みや読み出しといった指令を受け取ると、まず、磁気ディスク１３の回転が始まる。磁気ディスク１３の回転に伴い浮上スライダ３１は磁気ディスク１３から浮上し始める。磁気ディスク１３の回転が定常状態に達すると、浮上スライダ３１は規定の浮上高さに位置決めされる。動力源２３は前述の順方向とは反対の逆方向にアクチュエータアーム２１を駆動し始める。ロードバー２５は傾斜面３４に向かって進んでいく。さらにアクチュエータアーム２１が揺動すると、ロードバー２５は傾斜面３４を下っていく。
こうしてロードバー２５が傾斜面３４を下っていく間に浮上ヘッドスライダ２４は磁気ディスク１３の表面に向き合う。浮上ヘッドスライダ２４には、磁気ディスク１３の表面に沿って生成される気流に基づき浮力が付与される。その後、アクチュエータアーム２１がさらに揺動すると、ロードバー２５は傾斜面３４すなわちランプ部材３３から離脱する。磁気ディスク１３が定常状態で回転する結果、ランプ部材３３に支えられなくても浮上ヘッドスライダ２４は磁気ディスク１３の表面から浮上し続けることができる。
図５は本発明の第２実施形態に係る磁気記録媒体駆動装置の一具体例すなわちＨＤＤ１１ａの内部構造を概略的に示す。このＨＤＤ１１ａには前述と同様にランプ部材アセンブリ３６が組み込まれる。このランプ部材アセンブリ３６は、図５から明らかなように、磁気ディスク１３の外側で筐体本体１２の底板に固定される取り付け台３７を備える。取り付け台３７には、スピンドルモータ１４の回転軸に向かって水平方向に延びる弾性サスペンション３８が固定される。
この弾性サスペンション３８は磁気ディスク１３の半径方向にデータゾーン１７を横断する。弾性サスペンション３８の先端は、最内周記録トラック１５の内側に区画される非データゾーンに達する。弾性サスペンション３８の先端には、前述と同様に、空気軸受け面で磁気ディスク１３の表面に向き合わせられる浮上スライダ３９が固定される。空気軸受け面は、最内周記録トラック１５の内側で磁気ディスク１３の非データゾーンに向き合わせられればよい。
浮上スライダ３９上にはランプ部材４１が固定される。このランプ部材４１には、磁気ディスク１３の中心に向かうにつれて磁気ディスク１３の表面から遠ざかる傾斜面４２が形成される。こういった傾斜面４２はロードバー２５の移動経路に沿って広がる。
こうして第２実施形態に係るＨＤＤ１１ａでは、ランプ部材４１すなわち傾斜面４２は最内周記録トラック１５の内側に配置される。磁気ディスク１３上では最外周記録トラック１６の外側に余分な非データゾーンすなわちランディングゾーンが確保される必要はない。最外周記録トラック１６は磁気ディスク１３の外縁に最大限に寄せられることができる。磁気ディスク１３では、外周側の１記録トラックでは内周側の１記録トラックに比べて多くの情報すなわちデータは記録されることができる。したがって、最外周記録トラック１６が磁気ディスク１３の外縁にできる限り寄せられれば、磁気ディスク１３の記録容量は増大する。
ランプ部材アセンブリ２６、３６では、例えば図６に示されるように、取り付け台２７、３７と弾性サスペンション２８、３８との間に駆動部材４３が挟み込まれてもよい。こういった駆動部材４３は例えば圧電素子で構成されればよい。圧電素子は電圧の印加に応じて伸縮することができる。図７に示されるように、圧電素子の伸縮に基づき浮上スライダ３１、３９には磁気ディスク１３の表面に沿って微小変位が与えられる。こうした微小変位に基づき浮上スライダ３１、３９は磁気ディスク１３との吸着から容易に離脱することができる。圧電素子は弾性サスペンション２８、３８と浮上スライダ３１、３９との間に挟み込まれてもよい。
図８に示されるように、駆動部材４３には圧電素子に代えて熱変形素子４４が用いられてもよい。熱変形素子４４には例えば電熱コイル４５が巻き付けられる。電流の供給に応じて電熱コイル４５は発熱する。こうして電熱コイル４５が発熱すると、熱変形素子４４に固有の線膨張係数に基づき熱変形素子４４は膨張する。こうした熱膨張に基づき熱変形素子４４は長手方向に伸縮することができる。熱変形素子４４の伸縮に基づき浮上スライダ３１、３９には磁気ディスク１３の表面に沿って微小変位が与えられる。こうした微小変位に基づき浮上スライダ３１、３９は磁気ディスク１３との吸着から容易に離脱することができる。熱変形素子４４は弾性サスペンション２８、３８と浮上スライダ３１、３９との間に挟み込まれてもよい。
その他、ランプ部材アセンブリ２６、３６にはリフト機構４６が組み込まれてもよい。このリフト機構４６は、図９に示されるように、例えば磁気ディスク１３の表面に直交する方向（垂直方向）に移動する接触部材４７を備える。この接触部材４７は動作位置および待機位置の間で垂直方向に沿って往復移動する。こうした往復移動は駆動機構４８の働きで実現されればよい。駆動機構４８は、例えば電気モータといった駆動源と、駆動源の駆動力を伝達するギアやカムといった伝達部材とから構成されればよい。
磁気ディスク１３の回転の停止に先立って接触部材４７は動作位置に位置決めされる。動作位置で接触部材４７は弾性サスペンション２８、３８に接触する。接触部材４７は磁気ディスク１３から遠ざかる方向に弾性サスペンション２８、３８を押し上げる。その後、磁気ディスク１３の回転が停止すると、浮上スライダ３１、３９で浮力は消失する。浮力の消失にも拘わらず、弾性サスペンション２８、３８の先端で浮上スライダ３１、３９は磁気ディスク１３の表面から引き離される。浮上スライダ３１、３９は、磁気ディスク１３の表面から離れた位置に保持される。こうして磁気ディスク１３の静止中であっても浮上スライダ３１、３９と磁気ディスク１３との接触は回避される。浮上スライダ３１、３９と磁気ディスク１３との吸着は確実に回避される。
その一方で、磁気ディスク１３の回転が定常状態に達すると、リフト機構４６の接触部材４７は待機位置に下降する。浮上スライダ３１、３９には規定の浮力が作用する。接触部材４７と弾性サスペンション２８、３８との接触は解除される。浮上スライダ３１、３９には弾性サスペンション２８、３８から所定の押し付け力が作用する。こうして浮上スライダ３１、３９の浮上高さは規定通りに設定される。
その他、リフト機構４６では、例えば図１０に示されるように、前述の接触部材４７に代えて接触部材５１が用いられてもよい。この接触部材５１は動作位置および待機位置の間で垂直方向に沿って往復移動する。こうした往復移動は駆動機構５２の働きで実現されればよい。駆動機構５２は、例えば電気モータといった駆動源と、駆動源の駆動力を伝達するギアやカムといった伝達部材とから構成されればよい。接触部材５１や駆動機構５２は例えば取り付け台２７、３７に支持されればよい。
【図面の簡単な説明】
図１は、本発明の第１実施形態に係るハードディスク駆動装置（ＨＤＤ）の構造を概略的に示す平面図である。
図２は、ランプ部材アセンブリの構造を概略的に示す拡大斜視図である。
図３は、磁気ディスクの回転が停止する際にランプ部材アセンブリの機能を概略的に示すＨＤＤの拡大部分側面図である。
図４は、磁気ディスクの停止中にランプ部材アセンブリの機能を概略的に示すＨＤＤの拡大部分側面図である。
図５は、本発明の第２実施形態に係るＨＤＤの構造を概略的に示す平面図である。
図６は、取り付け台と弾性サスペンションとの間に挟まれる駆動部材すなわち圧電素子を概略的に示すランプ部材アセンブリの拡大側面図である。
図７は、圧電素子の働きを概略的に示すランプ部材アセンブリの拡大平面図である。
図８は、駆動部材すなわち熱変形素子の働きを概略的に示すランプ部材アセンブリの拡大平面図である。
図９は、ランプ部材アセンブリに組み込まれるリフト機構の一具体例を示す拡大斜視図である。
図１０は、ランプ部材アセンブリに組み込まれるリフト機構の他の具体例を示す拡大斜視図である。
【図１】
2003102951.tif 000003
【図２】
2003102951.tif 000004
【図３】
2003102951.tif 000005
【図４】
2003102951.tif 000006
【図５】
2003102951.tif 000007
【図６】
2003102951.tif 000008
【図７】
2003102951.tif 000009
【図８】
2003102951.tif 000010
【図９】
2003102951.tif 000011
【図１０】
2003102951.tif 000012
【国際調査報告】
2003102951.tif 000013
2003102951.tif 000014
2003102951.tif 000015
2003102951.tif 000016